(57)【要約】【課題】カップに多目の注湯を行ってもコーヒーバッグに入れたコーヒー粉がカップに溜まったコーヒー液に浸漬せず、かつ、カップ上に安定して載置することができ、また、製造も容易なコーヒードリッパーを提供する。【解決手段】コーヒードリッパー１は、コーヒー粉Ｐを封入したコーヒーバッグ１０を狭持体２０の内側に貼着狭持しておき、狭持体２０およびコーヒーバッグ１０の上部を開いた状態でカップＣに載置するとコーヒー粉Ｐに湯を注いでコーヒーを入れることができるものであり、狭持体２０は２枚のシート部材２１の縁部を貼着してなり、少なくとも内側が上辺部２から下辺部３に向かって末広がりの形状を有し、狭持体２０をカップＣに載置したときのコーヒーバッグ１０の底部１２は、カップＣに溜まった通常量のコーヒー液に浸漬しない位置にある。【選択図】図１
2008136767.tif 000002
【特許請求の範囲】
【請求項１】
コーヒー粉が封入されたコーヒーバッグを狭持体の内側に貼着狭持したコーヒードリッパーであり、前記狭持体および前記コーヒーバッグの上部を開いた状態でカップに載置して前記コーヒー粉に湯を注いでコーヒーを入れることができるようにしたコーヒードリッパーにおいて、
前記狭持体は２枚のシート部材の縁部を貼着してなり、少なくとも内側が上辺部から下辺部に向かって末広がりの形状を有し、
前記狭持体をカップに載置したときの前記コーヒーバッグの底部は、カップに溜まった通常量のコーヒー液に浸漬しない位置にあることを特徴とするコーヒードリッパー。
【請求項２】
コーヒー粉が封入されたコーヒーバッグを狭持体の内側に貼着狭持したコーヒードリッパーであり、前記狭持体および前記コーヒーバッグの上部を開いた状態でカップに載置して前記コーヒー粉に湯を注いでコーヒーを入れることができるようにしたコーヒードリッパーにおいて、
前記狭持体は２枚のシート部材の縁部を貼着してなり、少なくとも内側が上辺部から下辺部に向かって末広がりの形状を有し、
前記２枚のシート部材は、それぞれの両側の側縁部に形成された互いに貼着するための相互貼着部と、それぞれの上縁部に形成され、前記コーヒーバッグの開口部を挟んで閉じるように貼着するための閉じ貼着部と、該閉じ貼着部よりも下方で前記コーヒーバッグを貼着して保持するための保持貼着部とを有し、
前記２枚のシート部材および前記コーヒーバッグには、前記閉じ貼着部を切り取って前記狭持体および前記コーヒーバッグの上部を開くための切取用のミシン目を有し、
前記狭持体をカップに載置したときの前記コーヒーバッグの底部は、カップに溜まった通常量のコーヒー液に浸漬しない位置にあることを特徴とするコーヒードリッパー。
【請求項３】
前記コーヒーバッグは、不織布であることを特徴とする請求項１または２に記載のコーヒードリッパー。
【請求項４】
前記コーヒーバッグは、開口部から底部に向かって尻すぼまりの形状を有する袋体であることを特徴とする請求項１，２または３に記載のコーヒードリッパー。
【請求項５】
前記狭持体は、側面に放熱孔が穿設されたことを特徴とする請求項１，２，３または４に記載のコーヒードリッパー。
【発明の詳細な説明】
【技術分野】
【０００１】
本発明は、コーヒー粉が封入されたコーヒーバッグを狭持体の内側に貼着狭持したコーヒードリッパーであり、狭持体およびコーヒーバッグの上部を開いた状態でカップに載置してコーヒー粉に湯を注いでコーヒーを入れることができるようにしたコーヒードリッパーに関する。
【背景技術】
【０００２】
従来からコーヒー豆を挽いてコーヒー粉にしたものを使用してコーヒーを入れる方法に蒸気圧の差によって湯を吸引する仕組みを利用したコーヒーサイフォンにコーヒー粉と湯または水を入れて加熱することによってコーヒーを抽出する方法やドリップ内に濾紙を置き、濾紙の内側に入れたコーヒー粉に注湯して、コーヒー粉および濾紙を通った湯を滴下させるドリップ式などの方法がある。  
このうちドリップ式の方法は、コーヒー粉に注湯する際に、先ずコーヒー粉を蒸らし、均等かつ十分に膨潤させ、その後全体に徐々にあるいは数回に分けて注湯するものであり、簡単でありながらコーヒーの味や香りを良く出すことができるので広く利用されている。このドリップ式によるコーヒーをより簡単にどこでも楽しめるようにした製品として、コーヒー粉を入れたコーヒーバッグを紙やプラスチックなどで作った保持体に保持させたいわゆる使い捨てのコーヒードリッパーがある。
【０００３】
このコーヒードリッパーの例として、コーヒーを入れる際に保持体とともにコーヒーバッグの上縁部を開いてカップに取り付けたり、カップの上に載せたりしてからコーヒー粉の上に注湯することにより、コーヒーをドリップ式で入れることができるようにしたものがある。
【０００４】
このようなコーヒードリッパーには、注湯の途中であってもカップに溜まったコーヒーの量が多くなるとコーヒーバッグがコーヒー液に浸漬したままになってしまうタイプのものがある。ところがコーヒー粉がコーヒー液に浸漬したままになると、本来ならばドリップ式によって得られるはずの優れた味や香りが損なわれがちになる。
【０００５】
そこで、注湯の途中からコーヒー粉がカップのコーヒー液に浸漬したままにならないようにするコーヒードリッパーの例として、特許文献１や特許文献２に記載されたものがある。  
【特許文献１】特開平１０−１４７７１号公報
【特許文献２】特開２００２−１７５７４号公報
【発明の開示】
【発明が解決しようとする課題】
【０００６】
特許文献１の技術では、コーヒー粉を収容したコーヒーバッグの両側で中央よりも下に係止部材が設けられており、この係止部材を構成する係止片に形成された係止用凹部がコーヒーカップの上縁部に係止できるようになっている。しかしながら、コーヒーカップの上縁部に係止用凹部の上端が係止した状態では、この係止用凹部の上端はコーヒーバッグの下端部よりも中央部に近い位置にあるため、少し多目に注湯したときにはコーヒーバッグの下端部がコーヒー液に浸ってしまうことがあるという問題点がある。また、コーヒーバッグの両側に設けた係止部材は、注湯の際にはコーヒーバッグの片側でコーヒーカップに係止してコーヒーバッグを支持し、２つの係止片のそれぞれに１箇所ずつ形成された係止用凹部の上端および折れ線に重量による複雑な負荷が掛かるので、紙製である場合には湯を含んで重くなったコーヒーバッグを支持することが不安定になり得るという問題点もある。
【０００７】
一方、特許文献２の技術は、前記特許文献１に記載されたコーヒーバッグと同様のコーヒーバッグの両側に係止部材を設けてある点は特許文献１の技術と同じであるが、コーヒーバッグの両側それぞれに係止片が２枚ずつ設けられており、それぞれに係止用凹部が形成されている。これにより、注湯のためにカップに取り付けた際にはコーヒーバッグをその両側で支持し、負荷が４箇所の係止用凹部を介して掛かるようになっているので、係止部材が紙製であっても湯を含んで重くなったコーヒーバッグの支持が特許文献１のものよりも安定するが、コーヒーカップの上縁部が係止用凹部の上端に当接し、係止用凹部を介して掛かった負荷が係止用凹部および折り線に複雑に掛かることは特許文献１の技術と同様である。
【０００８】
また、この係止用凹部は各係止片の上下２箇所で係止片の下辺から上辺に向かうように形成されているので、下方に形成された係止用凹部であってもその上端は、コーヒーバッグの下端部から中央部に寄った位置にあるので、多目に注湯したときにはコーヒーバッグの下端部がコーヒー液に浸ってしまうことがあるという問題点が特許文献１と同様にある。
【０００９】
本発明は、このような従来の技術が有する問題点に着目してなされたもので、多目の注湯を行ってもコーヒーバッグに入れたコーヒー粉がカップに溜まったコーヒー液に浸漬せず、かつ、カップ上に安定して載置することができ、また、簡単な構造で製造の機械化が容易なコーヒードリッパーを提供することを目的としている。
【課題を解決するための手段】
【００１０】
かかる目的を達成するための本発明の要旨とするところは、次の各項の発明に存する。
［１］  コーヒー粉（Ｐ）が封入されたコーヒーバッグ（１０）を狭持体（２０）の内側に貼着狭持したコーヒードリッパー（１）であり、前記狭持体（２０）および前記コーヒーバッグ（１０）の上部を開いた状態でカップ（Ｃ）に載置して前記コーヒー粉（Ｐ）に湯を注いでコーヒーを入れることができるようにしたコーヒードリッパー（１）において、
前記狭持体（２０）は２枚のシート部材（２１，２１）の縁部を貼着してなり、少なくとも内側が上辺部（２）から下辺部（３）に向かって末広がりの形状を有し、
前記狭持体（２０）をカップ（Ｃ）に載置したときの前記コーヒーバッグ（１０）の底部（１２）は、カップ（Ｃ）に溜まった通常量のコーヒー液に浸漬しない位置にあることを特徴とするコーヒードリッパー（１）。
【００１１】
［２］  コーヒー粉（Ｐ）が封入されたコーヒーバッグ（１０）を狭持体（２０）の内側に貼着狭持したコーヒードリッパー（１）であり、前記狭持体（２０）および前記コーヒーバッグ（１０）の上部を開いた状態でカップ（Ｃ）に載置して前記コーヒー粉（Ｐ）に湯を注いでコーヒーを入れることができるようにしたコーヒードリッパー（１）において、
前記狭持体（２０）は２枚のシート部材（２１，２１）の縁部を貼着してなり、少なくとも内側が上辺部（２）から下辺部（３）に向かって末広がりの形状を有し、
前記２枚のシート部材（２１，２１）は、それぞれの両側の側縁部（２２）に形成された互いに貼着するための相互貼着部（２２０）と、それぞれの上縁部（２３）に形成され、前記コーヒーバッグ（１０）の開口部（１１）を挟んで閉じるように貼着するための閉じ貼着部（２３０）と、該閉じ貼着部（２３０）よりも下方で前記コーヒーバッグ（１０）を貼着して保持するための保持貼着部（２４０）とを有し、
前記２枚のシート部材（２１，２１）および前記コーヒーバッグ（１０）には、前記閉じ貼着部（２３０）を切り取って前記狭持体（２０）および前記コーヒーバッグ（１０）の上部を開くための切取用のミシン目（２６）を有し、
前記狭持体（２０）をカップ（Ｃ）に載置したときの前記コーヒーバッグ（１０）の底部（１２）は、カップ（Ｃ）に溜まった通常量のコーヒー液に浸漬しない位置にあることを特徴とするコーヒードリッパー（１）。
【００１２】
［３］  前記コーヒーバッグ（１０）は、不織布であることを特徴とする［１］または［２］に記載のコーヒードリッパー（１）。
【００１３】
［４］  前記コーヒーバッグ（１０）は開口部（１１）から底部（１２）に向かって尻すぼまりの形状を有する袋体であることを特徴とする［１］，［２］または［３］に記載のコーヒードリッパー（１）。
【００１４】
［５］  前記狭持体（２０）は、側面に放熱孔（２５）が穿設されたことを特徴とする［１］,［２］，［３］または［４］に記載のコーヒードリッパー（１）。
【００１５】
前記本発明は次のように作用する。  
コーヒードリッパー（１）は、コーヒー粉（Ｐ）が封入されたコーヒーバッグ（１０）がその開口部（１１）を狭持体（２０）の閉じ貼着部（２３０）に挟まれて閉じられ、コーヒーバッグ（１０）全体は狭持体（２０）の内側に収められているので、コーヒーを入れるときには先ず切取用のミシン目（２６）から上縁部（２３）を切り離す。こうして上縁部（２３）を切り離すと、閉じ貼着部（２３０）に貼着狭持されているコーヒーバッグ（１０）の上部も切り取られる。
【００１６】
コーヒーバッグ（１０）は、閉じ貼着部（２３０）による狭持体（２０）への貼着状態が失われる。しかし、コーヒーバッグ（１０）は、その側面を保持貼着部（２４０）によって狭持体（２０）に貼着されて保持されているので、狭持体（２０）から脱落することはない。
【００１７】
上縁部（２３）を切り離した狭持体（２０）は、次に、折り線（２７，２７）に沿って狭持体（２０）およびコーヒーバッグ（１０）の上部を開くように折る。これにより、狭持体（２０）の上方からはコーヒーバッグ（１０）の開口部（１１）が臨まれるとともに、狭持体（２０）の下辺部（３）側も広げられるので、下辺部（３）をカップ（Ｃ）の上縁に載せることができる。
【００１８】
このようにしてカップ（Ｃ）に載置したコーヒードリッパー（１）の上から、コーヒーバッグ（１０）内のコーヒー粉（Ｐ）に湯を注ぐことにより、カップ（Ｃ）にコーヒーをいれることができる。
【００１９】
湯を注ぐとコーヒー粉（Ｐ）が湯を含んでコーヒーバック（１０）が重くなるが、コーヒードリッパー（１）は、狭持体（２０）の下辺部（３）側が広げられており、カップ（Ｃ）の上縁に当接している下辺部（３）の４箇所でほぼ均等にその重量を分散して受けるので、湯を注いでいる間、コーヒードリッパー（１）はカップ（Ｃ）上に安定して載置されている。
【００２０】
さらに、コーヒーバッグ（１０）は、開口部（１１）から底部（１２）に向かって尻すぼまりの形状を有する袋体であるので、中に入れてあるコーヒー粉（Ｐ）がコーヒーバッグ（１０）内で片寄ることなくコーヒーバッグ（１０）の下部に集まるので、より安定してカップ（Ｃ）上に載置しておくことができる。
【００２１】
カップ（Ｃ）に載置したコーヒードリッパー（１）は、コーヒーバッグ（１０）の底部（１２）の位置が狭持体（２０）の下辺部（３）の近傍の所定位置にある。この所定位置は、カップ（Ｃ）に溜まった通常量のコーヒー液に浸漬しない位置である。この位置はまた、飲料を入れたカップ（Ｃ）を持ったときに、カップ（Ｃ）の中の飲料がこぼれにくい程度の液面の位置でもある。通常、カップ（Ｃ）に飲料を入れるときは、多目に入れたとしてもカップ（Ｃ）を持ったときにこぼれるほどには入れないので、前記所定位置にコーヒーバッグ（１０）の底部（１２）が位置するコーヒードリッパー（１）によれば、コーヒーを入れている途中からコーヒーバッグ（１０）内のコーヒー粉（Ｐ）がカップ（Ｃ）に溜まった通常量のコーヒー液に浸漬してしまうことがない。なお、狭持体（２０）の側面に放熱孔（２５，２５）を穿設したものの場合には、コーヒーを入れている間は、狭持体（２０）の内側に籠もる熱および蒸気の一部が放熱孔（２５，２５）から外部に放出される。
【００２２】
このようにして、ドリップ式による優れた味と香りとを持ったコーヒーを簡単にいれることができる。特に、コーヒーバッグ（１０）を不織布にすることにより、コーヒーバッグ（１０）の素材がもつ臭いが入れたコーヒーに移ってしまうことがなくなり、コーヒー自体の香りを楽しむことができる。また、上記のように構造が簡単なものであるので、製造における機械化が容易である。
【発明の効果】
【００２３】
本発明にかかるコーヒードリッパーによれば、通常ではカップに入れたコーヒー液の液面に到達しない位置にコーヒーバッグの底部が位置するので通常の範囲で多目の注湯を行ってもコーヒーバッグに入れたコーヒー粉がカップに溜まったコーヒー液に浸漬せず、味、香りともに良好なコーヒーを提供することができる。
【００２４】
また、コーヒーバッグは、尻すぼまりの形状をした袋体であるので中に入れたコーヒー粉の片寄りを容易に均すことができ、また、コーヒードリッパーは、末広がりの形状になっているので、カップの上縁に安定して載置することができる。
【００２５】
また、コーヒーバッグを収容している狭持体は２枚のシート部材の縁部を貼着しただけのものであるので、容易に製造することができる。
【発明を実施するための最良の形態】
【００２６】
以下、図面に基づき本発明の好適な一実施の形態を説明する。  
本実施の形態にかかるコーヒードリッパー１は、コーヒー粉Ｐが封入されたコーヒーバッグ１０を狭持体２０の内側に貼着狭持したコーヒードリッパー１であり、カップＣにコーヒーを入れるときには狭持体２０およびコーヒーバッグ１０の上部を開いた状態にしてカップＣに載置することにより、コーヒー粉Ｐに上から湯を直接に注いでコーヒーを入れることができるようにしたものである。すなわち、ドリップ式でコーヒーを入れるときに使用するコーヒードリッパーとフィルターとコーヒー粉Ｐとを一組にしたようなものである。
【００２７】
図１から図４までに示すように、狭持体２０は同一形状の２枚のシート部材２１，２１の縁部を貼着したものである。シート部材２１は、紙や合成樹脂などを使用することができる。
【００２８】
２枚のシート部材２１，２１は、それぞれの両側の側縁部２２の最外縁部分に相互貼着部２２０が形成されている。この相互貼着部２２０は、シート部材２１，２１同士を貼着するための部分である。また、シート部材２１，２１それぞれの上縁部２３の最上縁部分には、閉じ貼着部２３０が形成されている。この閉じ貼着部２３０は、シート部材２１，２１同士を貼着するとともにコーヒーバッグ１０の開口部１１を挟んだ状態で閉じて貼着するので、コーヒーバッグ１０に入れたコーヒー粉Ｐはコーヒーバッグ１０内に封入される。
【００２９】
また、シート部材２１には、コーヒーバッグ１０の側面を貼着して保持するための保持貼着部２４０が上縁部２３よりも下方に設けられている。図４に示すように、この保持貼着部２４０は、コーヒーバッグ１０の側面の幅方向にその一部を貼着するように、後述する折り線２７，２７の間で帯状に設けてもよいし、帯状ではなく、多数のスポット状に設けてもよい。これらの貼着部２２０，２３０，２４０における貼着は、加熱によるヒートシールである。
【００３０】
シート部材２１は、前記相互貼着部２２０と閉じ貼着部２３０とを貼着した状態での内側の形状が上辺部２から下辺部３に向かって末広がりになっている。また、保持貼着部２４０より下方には、放熱孔２５，２５が２つ穿設されている。これら放熱孔２５，２５は、コーヒーを入れるためにカップＣに湯を注いでいる際に発生する熱および蒸気の一部を逃がすためのものである。これにより、コーヒードリッパー１内の温度と湿度を適度に保つことができる。放熱孔２５，２５は、図面上では保持貼着部２４０より下方に２つ穿設して例示したが、穿設する位置と数は例示した態様に限られない。また、これら放熱孔２５，２５は、必ずしも設ける必要はない。
【００３１】
シート部材２１には、上縁部２３を閉じ貼着部２３０もろとも切り取ることを容易にした切取用のミシン目２６が形成されている。この切取用のミシン目２６は、閉じ貼着部２３０にコーヒーバッグ１０を挟んで貼着した後に形成されるものであり、したがって、コーヒーバッグ１０にも同様に切り取りを容易にするための切取用のミシン目１６が形成されている。
【００３２】
これら切取り用のミシン目１６，２６に沿って上縁部２３を切り取ることにより、コーヒーを入れるために狭持体２０およびコーヒーバッグ１０の上部を開くことができる。このように上縁部２３を切り取っても、コーヒーバッグ１０は、保持貼着部２４０によってシート部材２１に貼着されて保持されているので、シート部材２１から脱落してしまうことはない。
【００３３】
また、シート部材２１には、放熱孔２５，２５を間にしてこれらよりも側縁部２２，２２寄りに１本ずつ折り線２７，２７が設けられている。これらの折り線２７，２７は、上辺部２側から下辺部３まで直線状に設けられている。折り線２７，２７は、コーヒーを入れるときに上縁部２３を切り取った後に、狭持体２０を立体形状にするためにシート部材２１をこれら折り線２７，２７の所で折り曲げるためのものである。
【００３４】
折り線２７，２７の上端から上辺部２までは切込み２８，２８が入っている。これにより、シート部材２１を折り曲げる際に折り線２７，２７の上端から上辺部２までの部分に影響されることなく、折り線２７，２７に沿ってきれいに容易に折り曲げることができる。
【００３５】
閉じ貼着部２３０に開口部１１を貼着されて狭持体２０の内側に貼着狭持されるコーヒーバッグ１０は、その開口部１１から底部１２に向かって尻すぼまりの形状を有する袋体である。このコーヒーバッグ１０は、無臭で濾過性のあるポリプロピレンなどの不織布によって作られている。コーヒーバッグ１０は不織布以外に濾紙などでもよいが、紙などの場合にはその臭いが入れたコーヒー液に移ってしまうこともあるので、無臭で濾過性のある不織布が好ましい。
【００３６】
コーヒーバッグ１０は、コーヒーを入れるために狭持体２０の上縁部２３を切り取って狭持体２０およびコーヒーバッグ１０の上部を開き、狭持体２０を立体形状にしてカップＣに載せたときに、底部１２が狭持体２０の下辺部３よりも下方の所定位置より上方に位置するような長さのものである。この所定位置とは、コーヒードリッパー１に湯を注いでいる途中でコーヒーバッグ１０内のコーヒー粉ＰがカップＣに溜まった通常量のコーヒー液に浸漬しない位置である。すなわち、コーヒーを入れる者が通常それ以上にコーヒー液をカップＣに溜めないような位置である。例えば、コーヒー液を入れたカップＣを通常の注意を払って持ったときに、カップＣの中のコーヒー液がこぼれない程度の液面の位置である。
【００３７】
底部１２の位置がこのような位置にあることにより、通常はコーヒーバッグ１０内のコーヒー粉ＰがカップＣに溜まった通常量のコーヒー液に浸漬してしまうことがないので、味、香りともに優れた十分な量のコーヒーを入れることができる。
【００３８】
次に作用を説明する。  
コーヒードリッパー１を製造するには、所定の形状に形成され、相互貼着部２２０、閉じ貼着部２３０、および保持貼着部２４０を設けた狭持体２０，２０の保持貼着部２４０にコーヒーバッグ１０をヒートシールして貼着する。次に、コーヒーバッグ１０の開口部１１を開いてコーヒー粉Ｐをコーヒーバッグ１０に入れる。次に、相互貼着部２２０および閉じ貼着部２３０をヒートシールして貼着する。最後に切取用のミシン目１６，２６を入れる。これらの各工程は、容易に機械化することができ、機械化により製造中の衛生面を著しく向上させることができる。
このように製造されたコーヒードリッパー１は、コーヒー粉Ｐが封入されたコーヒーバッグ１０の開口部１１が狭持体２０，２０の閉じ貼着部２３０，２３０の間に挟まれてそれらに貼着されている。コーヒーバッグ１０全体は狭持体２０の内側に収められている。この状態のコーヒードリッパー１は、あまり厚みがないので嵩張らない。とくに、コーヒーバッグ１０内のコーヒー粉Ｐをコーヒーバッグ１０内であまり片寄らないようにすることにより厚みがより薄くなり多数のコーヒードリッパー１を収容するのに都合がよくなる。
【００３９】
このコーヒードリッパー１によってコーヒーを入れるときには、先ず狭持体２０の上部の上縁部２３を切り離す。狭持体２０には、切取用のミシン目２６が形成されているので、切取用のミシン目２６を境にして一方の手で上縁部２３側を摘み、もう一方の手で他の部分を摘んでちぎるようにして容易に切り離すことができる。このとき、切取用のミシン目２６と一致してコーヒーバッグ１０にも切取用のミシン目１６が形成されているので、上縁部２３を切り離すと、コーヒーバッグ１０の上部も切り取られる。
【００４０】
上縁部２３を切り離したコーヒードリッパー１は、カップＣに載置して湯をコーヒー粉Ｐに注ぐことができるように、上辺部２側および下辺部３側を開く。狭持体２０には折り線２７，２７が形成されているので、これら折り線２７，２７に沿って折るようにして、コーヒードリッパー１を開く。このようにコーヒードリッパー１を開いても、コーヒーバッグ１０は、開口部１１からやや下方で両側が狭持体２０，２０の保持貼着部２４０，２４０に貼着されて保持されているので、狭持体２０，２０とともに開口部１１が大きく開く。
【００４１】
このようにして開いたコーヒードリッパー１は、コーヒーバッグ１０が尻すぼまりの形状をしているので、軽く揺するだけでコーヒー粉Ｐがコーヒーバッグ１０内であまり片寄らないように均すことができる。図１および図２に示すように、カップＣの上縁に載せたコーヒードリッパー１は、その下辺部３の４箇所がカップＣの上縁に載るので、安定している。また、開口部１１の内側にはコーヒーバッグ１０内に均されたコーヒー粉Ｐを臨むことができる。
【００４２】
このようにしてカップＣにコーヒードリッパー１を載置して、開口部１１の上からコーヒーバッグ１０内のコーヒー粉Ｐに湯を注ぐことにより、カップＣにコーヒーをいれることができる。コーヒー粉Ｐに湯を注ぐと、コーヒー粉Ｐは湯を含んで重くなる。また、注がれる湯の動きによってコーヒー粉Ｐの均された状態が変わる。しかし、コーヒーバッグ１０は開口部１１から底部１２に向かって尻すぼまりの形状をしているので、湯がコーヒーバッグ１０から滴下するとともにコーヒー粉Ｐも片寄ることなくコーヒーバッグ１０の下部に戻るので重くなったコーヒー粉Ｐの重心の位置変化があまりない。さらに、コーヒードリッパー１は、狭持体２０の下辺部３側が広げられており、カップＣの上縁に当接している下辺部３の４箇所でほぼ均等にその重量を分散して受けることができる。したがって、湯を注いでいる間、コーヒードリッパー１はカップＣ上に安定して載置しておくことができる。
【００４３】
コーヒーを入れている間は、狭持体２０の内側に籠もる熱および蒸気の一部が狭持体２０の側面に穿設された放熱孔２５，２５から外部に放出される。
【００４４】
通常、コーヒーを入れるときは、不注意の場合を除いてカップＣになみなみと入れることはなく、カップＣに入れたコーヒー液を慎重にならずとも手に持ってこぼれない程度に入れる。カップＣに載置したコーヒードリッパー１は、コーヒーバッグ１０の底部１２の位置が狭持体２０の下辺部３よりも下方で、前記のカップＣに入れたコーヒー液を慎重にならずとも手に持ってこぼれない程度に入れた液面よりも上方の所定位置にある。このため、コーヒードリッパー１に湯を注いでいる途中でコーヒーバッグ１０内のコーヒー粉ＰがカップＣに溜まった通常量のコーヒー液に浸漬してしまうことがない。したがって、ドリップ式で入れたコーヒーの本来の味と香りを損なうことがない。さらに、コーヒーバッグ１０が不織布なので、素材自体に臭いがなく、コーヒーバッグ１０の素材がもつ臭いが入れたコーヒーに移ってしまうことがなくなり、コーヒー自体の香りをよりよく楽しむことができる。
【００４５】
このように本実施の形態にかかるコーヒードリッパー１によれば、ドリップ式による優れた味と香りとを持ったコーヒーを簡単にいれることができる。
【００４６】
また、コーヒードリッパー１の狭持体２０は簡単な形状の２枚のシート部材２１，２１を貼着したものであるので、製造が容易である。
【００４７】
なお、前記実施の形態においては、切取用のミシン目２６から下方に切込み２８を入れて、狭持体２０，２０とともに開口部１１を大きく開く際に容易に開けるようにしてあるが、切込み２８を入れずに、下辺部３から延びる折り線２７をミシン目２６に至るようにしてもよい。
【００４８】
また、２つの側縁部２２，２２は、一方（図１および図２においては右側の側縁部２２、図３および図４においては左側の側縁部２２）の幅が狭くなっているが、他方の側縁部２２と同様に幅を広くし、あるいは、幅の広い部分を形成することにより、コーヒードリーッパー１をより摘み易くすることができる。
【図面の簡単な説明】
【００４９】
【図１】本発明の一実施の形態に係るコーヒードリッパーの使用状態を示す斜視図である。
【図２】本発明の一実施の形態に係るコーヒードリッパーの使用状態を示す平面図である。
【図３】図１のコーヒードリッパーにおける狭持体を示す正面図である。
【図４】図３の狭持体とコーヒーバッグとの貼着関係を示す説明図である。
【符号の説明】
【００５０】
Ｃ…カップ
Ｐ…コーヒー粉
１…コーヒードリッパー
２…上辺部
３…下辺部
１０…コーヒーバッグ
１１…開口部
１２…底部
１６…切取用のミシン目
２０…狭持体
２１…シート部材
２２…側縁部
２３…上縁部
２５…放熱孔
２６…切取用のミシン目
２７…折り線
２８…切込み
２２０…相互貼着部
２３０…閉じ貼着部
２４０…保持貼着部
【図１】
2008136767.tif 000003
【図２】
2008136767.tif 000004
【図３】
2008136767.tif 000005
【図４】
2008136767.tif 000006